(57)【要約】【課題】不正行為の発生を認識して、直ちにその旨を報知することにより、不正行為の早期発見を実現し、不正による被害の拡大防止および不正行為の抑制を図る。【解決手段】異常検知装置は、遊技機Ｍに設けられた非接触ＩＣタグ３１０の所定範囲内に配設されたアンテナ１０７を用いて、非接触ＩＣタグ３１０から遊技機Ｍ固有の識別情報を検出し、その識別情報および遊技機Ｍと関連付けて予め設定されている設定情報に基づいて、識別情報の正当性を判断し、識別情報が不当であると判断された場合、遊技機Ｍの異常を示す異常情報を出力する。これにより、遊技機Ｍに対して何らかの不正行為がおこなわれた場合に、その遊技機Ｍの異常を示す異常情報を自動的に報知することができる。【選択図】図５
2008289726.tif 000002
【特許請求の範囲】
【請求項１】
遊技機に設けられた非接触ＩＣタグの所定範囲内に配設されたアンテナを用いて、前記非接触ＩＣタグから前記遊技機固有の識別情報を検出する検出手段と、
前記検出手段によって検出された識別情報、および前記遊技機と関連付けて予め設定されている設定情報に基づいて、前記識別情報の正当性を判断する判断手段と、
前記判断手段によって前記識別情報が不当であると判断された場合、前記遊技機の異常を示す異常情報を出力する出力手段と、
を備えることを特徴とする異常検知装置。
【請求項２】
前記判断手段は、
前記検出手段による前記識別情報の検出が不能となったか否かを判断し、
前記出力手段は、
前記判断手段によって検出不能と判断された場合、前記遊技機の異常を示す異常情報を出力することを特徴とする請求項１に記載の異常検知装置。
【請求項３】
前記判断手段は、
前記識別情報と前記設定情報とが一致するか否かを判断し、
前記出力手段は、
前記判断手段によって前記識別情報と前記設定情報とが一致しないと判断された場合、前記遊技機の異常を示す異常情報を出力することを特徴とする請求項１または２に記載の異常検知装置。
【請求項４】
前記出力手段は、
前記判断手段によって前記識別情報が不当であると判断された時期、または前記識別情報が検出不能であると判断された時期を特定するための情報を含む異常情報を出力することを特徴とする請求項２または３に記載の異常検知装置。
【請求項５】
表示画面を有する表示手段を備え、
前記出力手段は、
前記表示手段を制御して、前記異常情報を前記表示画面に表示することを特徴とする請求項１〜４のいずれか一つに記載の異常検知装置。
【請求項６】
前記異常検知装置は、
遊技媒体の貸し出しに関する信号を前記遊技機に送信する遊技媒体貸出装置であることを特徴とする請求項１〜５のいずれか一つに記載の異常検知装置。
【請求項７】
遊技媒体の貸し出しに関する信号を遊技機に送信する遊技媒体貸出装置と、遊技場内に設置されている前記遊技機に対する不正行為を監視する監視装置と、が相互に通信可能に接続された不正監視システムであって、
前記遊技媒体貸出装置は、
前記遊技機に設けられた非接触ＩＣタグの所定範囲内に配設されたアンテナを用いて、前記非接触ＩＣタグから前記遊技機固有の識別情報を検出する検出手段と、
前記検出手段によって検出された識別情報、および前記遊技機と関連付けて予め設定されている設定情報に基づいて、前記識別情報の正当性を判断する判断手段と、
前記判断手段によって前記識別情報が不当であると判断された場合、前記遊技機の異常を示す異常情報を前記監視装置に送信する送信手段と、
を備え、
前記監視装置は、
前記遊技機の異常を示す異常情報を前記遊技媒体貸出装置から受信する受信手段と、
前記受信手段によって受信された異常情報を出力する出力手段と、
を備えることを特徴とする不正監視システム。
【請求項８】
前記遊技媒体貸出装置の送信手段は、
前記判断手段によって前記識別情報が不当であると判断された遊技機を特定するための情報を含む異常情報を前記監視装置に送信することを特徴とする請求項６に記載の不正監視システム。
【請求項９】
前記監視装置は、
前記受信手段によって受信された異常情報を、前記遊技場に関する不正を監視する監視サーバに通知する通知手段を備えることを特徴とする請求項６または７に記載の不正監視システム。
【請求項１０】
前記監視装置の通知手段は、
前記識別情報が不当であると判断された遊技機を特定するための情報、および前記遊技機が設置されている遊技場を特定するための情報を含む異常情報を前記監視サーバに通知することを特徴とする請求項８に記載の不正監視システム。
【請求項１１】
遊技機に設けられた非接触ＩＣタグの所定範囲内に配設されたアンテナを用いて、前記非接触ＩＣタグから前記遊技機固有の識別情報を検出する検出工程と、
前記検出工程によって検出された識別情報、および前記遊技機と関連付けて予め設定されている設定情報に基づいて、前記識別情報の正当性を判断する判断工程と、
前記判断工程によって前記識別情報が不当であると判断された場合、前記遊技機の異常を示す異常情報を出力する出力工程と、
を含んだことを特徴とする異常検知方法。
【請求項１２】
請求項１１に記載の異常検知方法をコンピュータに実行させることを特徴とする異常検知プログラム。
【発明の詳細な説明】
【技術分野】
【０００１】
この発明は、遊技機に対する不正行為を監視する異常検知装置、異常検知方法、異常検知プログラム、および不正監視システムに関する。
【背景技術】
【０００２】
従来より、パチンコ遊技機やスロット遊技機などの遊技機において、該遊技機を不正に改造して、遊技者が不当に遊技媒体を獲得する不正行為が後を絶たない。たとえば、遊技機の制御を司る主基板や該主基板に実装されているＲＯＭなどを不正なもの（いわゆる、裏ロムなど）に交換して、不当に遊技媒体を獲得する不正行為がおこなわれている。
【０００３】
これにより、パチンコホールなどの遊技場を営む店舗が被る被害が甚大なものとなっており、不正行為を防ぐために、各店舗において様々な不正対策がおこなわれている。たとえば、各店舗において、不正行為を監視するために、監視カメラを設置したり、従業員の数を増やしたりする対策が講じられている。
【０００４】
また、主基板や該主基板に実装されているＲＯＭに封印紙を貼付する技術が開示されている（たとえば、下記特許文献１参照。）。これによれば、主基板を不正なものに交換する際に、正規の主基板に貼付されていた封印紙を剥がして、不正なものに貼りかえると封印紙が破れてしまうので、不正行為がおこなわれたことを把握することができる。
【０００５】
【特許文献１】特開平１０−２１６３２４号公報
【発明の開示】
【発明が解決しようとする課題】
【０００６】
しかしながら、監視カメラを設置する、あるいは、従業員の数を増やすことによって遊技場内での不正行為の監視を強化したとしても、不正行為自体の巧妙化により、監視カメラでは捉えきれなかったり、従業員が気付かない場合が多く、結果的に不正行為を十分に把握しきれていないという問題があった。
【０００７】
また、上述した特許文献１に記載の従来技術によれば、不正行為がおこなわれたか否かを確認するために、遊技機を開放して、該遊技機の内部に貼付されている封印紙を目視チェックする必要があるため、従業員の作業負担が増大してしまうという問題があった。特に、遊技機の設置台数が多い店舗（たとえば、１０００台）では、従業員による目視チェックに多大な時間や手間がかかってしまうだけでなく、チェック漏れによる不正行為の見落としが発生してしまう場合があるという問題があった。
【０００８】
さらに、営業中に封印紙の確認をおこなうには、遊技者の遊技を中断させる必要があり、遊技者に不快感を与えてしまう場合があるため、多くの場合は営業終了後に、各遊技機の封印紙を確認することとなる。このため、不正行為の発見が遅れてしまい、発見するまでの間の被害が拡大してしまうという問題があった。
【０００９】
この発明は、上述した従来技術による問題点を解消するため、不正行為の発生を認識して、直ちにその旨を報知することにより、不正行為の早期発見を実現し、不正による被害の拡大防止および不正行為の抑制を図ることができる異常検知装置、異常検知方法、異常検知プログラム、および不正監視システムを提供することを目的とする。
【課題を解決するための手段】
【００１０】
上述した課題を解決し、目的を達成するため、この発明にかかる異常検知装置、異常検知方法、および異常検知プログラムは、遊技機に設けられた非接触ＩＣタグの所定範囲内に配設されたアンテナを用いて、前記非接触ＩＣタグから前記遊技機固有の識別情報を検出し、前記識別情報および前記遊技機と関連付けて予め設定されている設定情報に基づいて、前記識別情報の正当性を判断し、前記識別情報が不当であると判断された場合、前記遊技機の異常を示す異常情報を出力することを特徴とする。
【００１１】
また、上記発明において、前記識別情報の検出が不能となったか否かを判断し、検出不能と判断された場合、前記遊技機の異常を示す異常情報を出力することとしてもよい。
【００１２】
また、上記発明において、前記識別情報と前記設定情報とが一致するか否かを判断し、前記識別情報と前記設定情報とが一致しないと判断された場合、前記遊技機の異常を示す異常情報を出力することとしてもよい。
【００１３】
これらの発明によれば、遊技機に対して何らかの不正行為がおこなわれた恐れがある場合に、その遊技機の異常を示す異常情報を自動的に報知することができる。
【００１４】
また、上記発明において、前記識別情報が不当であると判断された時期、または前記識別情報が読み取り不能であると判断された時期を特定するための情報を含む異常情報を出力することとしてもよい。
【００１５】
また、上記発明において、前記異常情報を前記表示画面に表示することとしてもよい。
【００１６】
これらの発明によれば、遊技機に対して何らかの不正行為がおこなわれた恐れがあることを示す情報、およびその発生時期を示す情報を表示画面に表示することができる。
【００１７】
また、上記発明において、異常検知装置は、遊技媒体の貸し出しに関する信号を前記遊技機に送信する遊技媒体貸出装置であることとしてもよい。
【００１８】
この発明によれば、既設の遊技媒体貸出装置を利用して遊技機の異常を検知することができる。
【００１９】
また、この発明にかかる不正監視システムは、遊技媒体の貸し出しに関する信号を遊技機に送信する遊技媒体貸出装置と、遊技場内に設置されている前記遊技機に対する不正行為を監視する監視装置と、が相互に通信可能に接続された不正監視システムであって、前記遊技媒体貸出装置は、前記遊技機に設けられた非接触ＩＣタグの所定範囲内に配設されたアンテナを用いて、前記非接触ＩＣタグから前記遊技機固有の識別情報を検出し、前記識別情報および前記遊技機と関連付けて予め設定されている設定情報に基づいて、前記識別情報の正当性を判断し、前記識別情報が不当であると判断された場合、前記遊技機の異常を示す異常情報を前記監視装置に送信する。そして、前記監視装置は、前記遊技機の異常を示す異常情報を前記遊技媒体貸出装置から受信し、前記異常情報を出力することを特徴とする。
【００２０】
また、上記発明において、前記遊技媒体貸出装置は、前記識別情報が不当であると判断された遊技機を特定するための情報を含む異常情報を前記監視装置に送信することとしてもよい。
【００２１】
これらの発明によれば、遊技機に対して何らかの不正行為がおこなわれた恐れがある場合に、その遊技機の異常を示す異常情報を遊技場の管理者などに自動的に報知することができる。さらに、遊技場に設置されている複数の遊技機の不正を一括して監視することができる。
【００２２】
また、上記発明において、前記監視装置は、前記異常情報を、前記遊技場に関する不正を監視する監視サーバに通知することとしてもよい。
【００２３】
また、上記発明において、前記監視装置は、前記識別情報が不当であると判断された遊技機を特定するための情報、および前記遊技機が設置されている遊技場を特定するための情報を含む異常情報を前記監視サーバに通知することとしてもよい。
【００２４】
これらの発明によれば、遊技場に関する不正を監視する第三者機関に、遊技機に対して何らかの不正行為がおこなわれた恐れがあることを示す異常情報を報知することができる。
【発明の効果】
【００２５】
本発明にかかる異常検知装置、異常検知方法、異常検知プログラム、および不正監視システムによれば、不正行為の発生を認識して、直ちにその旨を報知することにより、不正行為の早期発見を実現し、不正による被害の拡大防止および不正行為の抑制を図ることができるという効果を奏する。
【発明を実施するための最良の形態】
【００２６】
以下に添付図面を参照して、この発明にかかる異常検知装置、異常検知方法、異常検知プログラム、および不正監視システムの好適な実施の形態を詳細に説明する。なお、本実施の形態では、この発明にかかる異常検知装置を遊技媒体の貸し出しを制御する遊技媒体貸出装置に適用した例について説明する。
【００２７】
（実施の形態１）
（遊技媒体貸出装置１００の外観）
まず、この発明の実施の形態１にかかる遊技媒体貸出装置１００の外観について説明する。図１は、遊技媒体貸出装置１００の一例を示す外観図である。図１において、遊技媒体貸出装置１００は、紙幣投入口１０１と、ディスプレイ１０２と、操作ボタン１０３と、会員カード投入口１０４と、精算コイン投入口１０５と、精算コイン返却口１０６と、アンテナ１０７と、を備えている。
【００２８】
遊技媒体貸出装置１００は、パチンコホールなどの遊技場に設置される遊技機（たとえば、パチンコ遊技機、スロット遊技機）での遊技に使用する遊技球や遊技メダルなどの遊技媒体を貸し出すコンピュータ装置である。この遊技媒体貸出装置１００は、たとえば、隣接する遊技機と一対一で設置されており、その遊技機での遊技に使用する遊技媒体の貸し出しを制御する。
【００２９】
また、遊技媒体貸出装置１００は、隣接する遊技機に対して何らかの不正行為がおこなわれた場合に、その異常を自動的に検知する機能を有している。ここで、遊技機に対する不正行為とは、たとえば、遊技機の制御を司る主基板や該主基板に実装されているＲＯＭなどを不正なもの（いわゆる、裏ロムなど）に交換して、不当に遊技媒体を獲得する行為などである。
【００３０】
紙幣投入口１０１は、遊技媒体の借り入れ時に投入される紙幣を受け付ける。ディスプレイ１０２は、紙幣投入口１０１に投入された紙幣の投入金額や遊技機の異常を示す異常情報を表示する。操作ボタン１０３は、機能設定に関する各種の入力や遊技者による暗証番号の入力などを受け付ける。
【００３１】
会員カード投入口１０４は、遊技場の会員に対して発行される会員カードの投入を受け付け、また、投入された会員カードの返却をおこなう。精算コイン投入口１０５は、たとえば、会員以外の遊技者、いわゆるビジターである遊技者が使用する精算コインの投入を受け付ける。精算コイン返却口１０６は、遊技終了時などに、残額のある精算コインを返却する。
【００３２】
アンテナ１０７は、装置本体に配線されており、後述する検出部３０１（図３参照）に接続されている。このアンテナ１０７は、遊技機内部の部品に貼付された非接触ＩＣタグ３１０（図３参照）の近傍に配設され、その非接触ＩＣタグ３１０からの電波を受信する機能を有している。
【００３３】
（遊技媒体貸出装置１００のハードウェア構成）
つぎに、遊技媒体貸出装置１００のハードウェア構成について説明する。図２は、遊技媒体貸出装置１００のハードウェア構成を示すブロック図である。図２において、遊技媒体貸出装置１００は、ＣＰＵ２０１と、ＲＯＭ２０２と、ＲＡＭ２０３と、音声Ｉ／Ｆ（インターフェース）２０４と、スピーカ２０５と、入力デバイス２０６と、映像Ｉ／Ｆ２０７と、ディスプレイ２０８と、通信Ｉ／Ｆ（インターフェース）２０９と、を備えている。また、各構成部２０１〜２０９はバス２２０によってそれぞれ接続されている。
【００３４】
まず、ＣＰＵ２０１は、遊技媒体貸出装置１００の全体の制御を司る。ＲＯＭ２０２は、ブートプログラム、通信プログラム、データ解析プログラムなどのプログラムを記録している。また、ＲＡＭ２０３は、ＣＰＵ２０１のワークエリアとして使用される。
【００３５】
音声Ｉ／Ｆ２０４は、音声出力用のスピーカ２０５に接続される。スピーカ２０５からは音声が出力される。このスピーカ２０５は、たとえば、装置内部に埋設されている。また、入力デバイス２０６は、文字、数値、各種指示などの入力のための複数のキーを備えたリモコン、タッチパネル、キーボード、マウス、タッチパネルなどが挙げられる。具体的には、図１に示した操作ボタン１０３に相当する。
【００３６】
映像Ｉ／Ｆ２０７は、ディスプレイ２０８（たとえば、図１に示したディスプレイ１０２）と接続される。映像Ｉ／Ｆ２０７は、具体的には、たとえば、ディスプレイ２０８全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ２０８を表示制御する制御ＩＣなどによって構成される。
【００３７】
ディスプレイ２０８には、アイコン、カーソル、メニュー、ウィンドウ、あるいは文字や画像などの各種データが表示される。このディスプレイ２０８は、たとえば、ＣＲＴ、ＴＦＴ液晶ディスプレイ、プラズマディスプレイなどを採用することができる。通信Ｉ／Ｆ２０９は、ネットワークに接続され、ＣＰＵ２０１とのインターフェースとして機能する。
【００３８】
（遊技媒体貸出装置１００の機能的構成）
つぎに、この発明の実施の形態１にかかる遊技媒体貸出装置１００の機能的構成について説明する。図３は、この発明の実施の形態１にかかる遊技媒体貸出装置１００の機能的構成を示すブロック図である。図３において、遊技媒体貸出装置１００は、アンテナ１０７と、検出部３０１と、判断部３０２と、出力部３０３と、表示部３０４と、非接触ＩＣタグ３１０と、から構成されている。
【００３９】
遊技媒体貸出装置１００は、遊技媒体の貸し出しに関する信号を遊技機Ｍに送信する機能を有する。遊技機Ｍは、パチンコホールなどの遊技場に設置されるパチンコ遊技機やスロット遊技機などの電子機器である。また、遊技媒体とは、遊技機Ｍにおける遊技に使用する遊技球や遊技メダルなどである。
【００４０】
遊技者は、図１に示した遊技媒体貸出装置１００の紙幣投入口１０１に紙幣を投入することで、投入金額に応じた遊技媒体を借り入れることができる。たとえば、紙幣投入口１０１に１万円紙幣を投入した場合、１万円分の遊技媒体の貸し出しが許可される。具体的には、遊技機Ｍ側に設けられた貸出ボタン（不図示）を押下するごとに予め定められた金額分、たとえば５００円分の遊技媒体を貸し出す信号が遊技媒体貸出装置１００から遊技機Ｍに送信される。これにより、遊技者は、遊技機Ｍにおいて、投入した金額の範囲内、すなわち、最大で１万円分の遊技媒体を借り入れることができ、その遊技媒体を使用して遊技をおこなうことができる。
【００４１】
検出部３０１は、遊技機Ｍに設けられた非接触ＩＣタグ３１０の所定範囲内に配設されたアンテナ１０７を用いて、非接触ＩＣタグ３１０から遊技機Ｍ固有の識別情報を検出する機能を有する。非接触ＩＣタグ３１０は、電磁誘導または電波を利用して非接触通信をおこなうＩＣタグであり、たとえば、ＲＦＩＤ（Ｒａｄｉｏ  Ｆｒｅｑｕｅｎｃｙ  Ｉｄｅｎｔｉｆｉｃａｔｉｏｎ）タグである。
【００４２】
この非接触ＩＣタグ３１０は、たとえば、遊技機Ｍの制御を司る主基板、該主基板に実装されているＲＯＭ、該主基板を被覆する基板ケースなどに貼付される。また、非接触ＩＣタグ３１０には、遊技機Ｍ固有の識別情報が記録されている。非接触ＩＣタグ３１０は、この識別情報を外部に発信する機能を有している。識別情報は、非接触ＩＣタグ３１０に一意的に割り当てられた情報であり、たとえば、遊技機Ｍを識別するための遊技機ＩＤ、遊技場を識別するための遊技場ＩＤ、および遊技機Ｍの製造業者を特定するための業者ＩＤなどを含んでいる。
【００４３】
アンテナ１０７は、検出部３０１に配線されており、その配線の長さに応じて任意の位置に配設可能な構成となっている。このアンテナ１０７は、遊技機Ｍに設けられた非接触ＩＣタグ３１０の通信範囲内に配設され、その非接触ＩＣタグ３１０からの電波（識別情報）を受信することとなる。
【００４４】
具体的には、たとえば、遊技機Ｍを遊技場内に設置する際（いわゆる、新台入替時）に、遊技場の管理者などにより、不正行為がおこなわれる恐れのある遊技機Ｍの部品に非接触ＩＣタグ３１０を貼付し、さらに、その非接触ＩＣタグ３１０の通信範囲内にアンテナ１０７を配設する。これにより、検出部３０１は、アンテナ１０７を用いて、非接触ＩＣタグ３１０から識別情報を検出することができる。
【００４５】
なお、非接触ＩＣタグ３１０は、遊技機Ｍの製造業者などにより、出荷時に予め所定の箇所に貼付されていてもよい。この場合、遊技機Ｍを遊技場に設置する際に、既に貼付されている非接触ＩＣタグ３１０の通信範囲内にアンテナ１０７を配設することとなる。
【００４６】
判断部３０２は、検出部３０１によって検出された識別情報、および遊技機Ｍと関連付けて予め設定されている設定情報に基づいて、識別情報の正当性を判断する機能を有する。この設定情報は、遊技機Ｍに設けられた非接触ＩＣタグ３１０に記録されている識別情報と関連付けて、予め設定されている情報であり、ＲＯＭ２０２やＲＡＭ２０３などのメモリに記憶されている。
【００４７】
具体的には、設定情報は、検出部３０１によって検出される識別情報の正当性を判断可能な情報であればよく、たとえば、正当な識別情報（正規の非接触ＩＣタグ３１０に記録されている識別情報）を含む情報である。より具体的には、たとえば、識別情報に含まれている遊技機ＩＤ、遊技場ＩＤおよび業者ＩＤと同一の遊技機ＩＤ、遊技場ＩＤおよび業者ＩＤなどを含む情報である。
【００４８】
判断部３０２は、この設定情報をメモリから読み出して、検出部３０１によって検出された識別情報と設定情報との同一性を照合することにより、その識別情報の正当性を判断する。具体的には、たとえば、識別情報および設定情報に、遊技機Ｍを識別するための遊技機ＩＤがそれぞれ含まれている場合、判断部３０２は、それらの遊技機ＩＤを照合することにより、識別情報の正当性を判断する。
【００４９】
より具体的には、検出部３０１によって検出された識別情報に含まれる遊技機ＩＤと、予め設定されている設定情報に含まれる遊技機ＩＤとを比較し、一致した場合に、識別情報が正当であると判断する。一方、非接触ＩＣタグ３１０が不正に交換されるなどして、識別情報に含まれる遊技機ＩＤと設定情報に含まれる遊技機ＩＤとが一致しなかった場合に、識別情報が不当であると判断する。
【００５０】
出力部３０３は、判断部３０２によって識別情報が不当であると判断された場合、遊技機Ｍの異常を示す異常情報を出力する機能を有する。遊技機Ｍの異常を示す異常情報とは、遊技機Ｍに対して何らかの不正行為がおこなわれた恐れがあることを外部に報知するための情報である。この異常情報は、たとえば、テンプレートとして予めメモリに記憶されている。
【００５１】
また、異常情報には、遊技場内における遊技機Ｍと他の遊技機Ｍとを区別（遊技場内での位置など）するための遊技台番号をあらわす情報や、判断部３０２によって識別情報が不当であると判断された時期（日時）を特定するための情報などが含まれていてもよい。
【００５２】
具体的には、出力部３０３は、識別情報が不当であると判断された場合に、異常情報をメモリから読み出して、その異常情報を出力する。このとき、メモリに記憶されている遊技台番号をあらわす情報を異常情報に付加することとしてもよく、また、識別情報が不当であると判断された日時情報をタイムスタンプとして異常情報に付加することとしてもよい。
【００５３】
また、判断部３０２は、検出部３０１による識別情報の検出が不能となったか否かを判断する機能を有する。具体的には、たとえば、不正な遊技者により、アンテナ１０７が取り外されたり、遊技機Ｍに設けられている非接触ＩＣタグ３１０が剥がされたり、アンテナ１０７の配線が切断された場合などに、検出不能と判断する。
【００５４】
このとき、判断部３０２は、検出部３０１による識別情報の検出が所定期間継続（たとえば、数秒間）して不能となった場合に、識別情報の検出不能を判断することとしてもよい。これにより、何らかの通信障害が発生して、一時的に識別情報が検出不能となった場合であっても、識別情報の検出が不能となったと判断しないこととなる。
【００５５】
出力部３０３は、判断部３０２によって検出不能と判断された場合、遊技機Ｍの異常を示す異常情報を出力することとしてもよい。すなわち、遊技機Ｍに対して何らかの不正行為がおこなわれた結果、検出部３０１による識別情報の検出が不能となった場合に、遊技機Ｍの異常を示す異常情報を出力することとなる。このとき、出力部３０３は、判断部３０２によって識別情報が読み取り不能であると判断された時期を特定するための情報を含む異常情報を出力することとしてもよい。
【００５６】
表示部３０４は、表示画面を有する。この表示画面は、たとえば、図１に示したディスプレイ１０２である。また、出力部３０３は、表示部３０４を制御して、遊技機Ｍの異常を示す異常情報を表示画面に表示する機能を有する。
【００５７】
出力部３０３による出力形式は、ランプ（不図示）による点灯または点滅、ディスプレイ１０２での画面表示、外部のプリンタでの印刷出力、メモリへのデータ出力（保存）、外部のコンピュータ装置への送信のいずれであってもよい。より具体的には、たとえば、遊技機Ｍの異常を示す異常情報を遊技場の管理者の携帯電話端末に送信してもよく、また、警備会社の端末装置に送信することとしてもよい。さらに、遊技機Ｍに付設されたテレビ画面に異常情報を表示することとしてもよく、また、遊技機Ｍ上部などに設置され、遊技機Ｍの大当たり回数や回転数などを表示するデータカウンターに異常情報を表示することとしてもよい。
【００５８】
ここで、ディスプレイ１０２に表示される出力画面について説明する。図４は、ディスプレイに表示される出力画面の一例を示す説明図（その１）である。図４において、ディスプレイ１０２には、遊技台番号「００７」の遊技機Ｍが異常であることを示す異常情報４００が表示されている。
【００５９】
具体的には、遊技場内に設置されている遊技台番号「００７」の遊技機Ｍに対して何らかの不正行為がおこなわれた恐れがあることを示すメッセージ「異常発生！」と、その発生日時「４月１２日１６時０３分」と、が表示されている。
【００６０】
このように、検出部３０１によって検出された識別情報（非接触ＩＣタグ３１０に記録されている識別情報）が不当であった場合、あるいは、その識別情報が検出不能となった場合には、遊技機Ｍに対して何らかの不正行為がおこなわれた恐れがあると判断して、遊技機Ｍの異常を示す異常情報をディスプレイ１０２に表示することができる。
【００６１】
なお、判断部３０２による判断処理は、所定の時間間隔でおこなわれてもよく、また、予め設定された時刻（たとえば、営業開始時刻、営業終了時刻など）におこなわれることとしてもよい。さらに、遊技場の管理者などの操作入力により、任意のタイミングでおこなうこととしてもよい。
【００６２】
また、判断部３０２による判断処理がおこなわれる時間間隔が短ければ短いほど、不正行為の迅速な発見につながる。このため、非接触ＩＣタグ３１０による識別情報の発信、検出部３０１による識別情報の検出、および判断部３０２による正当性の判断を繰り返し実行し続けることにより、不正行為の監視を常時おこなうこととしてもよい。
【００６３】
また、識別情報および設定情報の内容は、任意に更新可能としてもよい。具体的には、たとえば、新台入替時などに、識別情報および設定情報の内容を最新のものに更新することができる。これらの内容は、たとえば、遊技場の管理者によって任意に更新可能とすることとしてもよく、また、遊技場の従業員による不正行為を考慮して、遊技機Ｍの製造業者などによる更新のみを可能とすることとしてもよい。
【００６４】
また、判断部３０２によって識別情報が不当であると判断された場合、あるいは、識別情報の検出が不能であると判断された場合、遊技機Ｍでの遊技を不能とすることとしてもよい。具体的には、たとえば、遊技媒体貸出装置１００と遊技機Ｍとが正常に接続されていない場合に遊技機Ｍにおける遊技媒体（遊技球）の発射を強制的に不能とする機能を利用して、遊技機Ｍでの遊技を禁止することとしてもよい。
【００６５】
このように、遊技機Ｍに対して何らかの不正行為がおこなわれた恐れがある場合に、その遊技機Ｍでの遊技を不能とすることにより、不正な遊技者による不当な遊技媒体の獲得を未然に防ぐことができ、不正行為による被害の拡大を抑えることができる。
【００６６】
なお、本実施の形態１では、異常検知装置を遊技媒体貸出装置１００に適用することとしたが、遊技機Ｍの周辺に設置される呼び出しランプやデータカウンターなどを搭載する周辺機器に適用することとしてもよい。
【００６７】
（遊技媒体貸出装置１００の異常検知処理手順）
つぎに、この発明の実施の形態１にかかる遊技媒体貸出装置１００の異常検知処理手順について説明する。図５は、この発明の実施の形態１にかかる遊技媒体貸出装置１００の異常検知処理手順を示すシーケンス図である。
【００６８】
図５において、まず、遊技機Ｍに設けられた非接触ＩＣタグ３１０により、遊技機Ｍ固有の識別情報を外部に発信する（ステップＳ５０１）。このあと、検出部３０１により、非接触ＩＣタグ３１０の所定範囲内に配設されたアンテナ１０７を用いて、非接触ＩＣタグ３１０から遊技機Ｍ固有の識別情報を検出する（ステップＳ５０２）。
【００６９】
つぎに、判断部３０２により、検出部３０１による識別情報の検出が不能となったか否かを判断する（ステップＳ５０３）。ここで、識別情報が検出された場合（ステップＳ５０３：Ｎｏ）、判断部３０２により、検出部３０１によって検出された識別情報、および遊技機Ｍと関連付けて予め設定されている設定情報に基づいて、識別情報が正当であるか否かを判断する（ステップＳ５０４）。
【００７０】
このとき、識別情報が不当であると判断された場合（ステップＳ５０４：Ｎｏ）、出力部３０３により、遊技機Ｍの異常を示す異常情報を出力する（ステップＳ５０５）。一方、ステップＳ５０４において、識別情報が正当であると判断された場合（ステップＳ５０４：Ｙｅｓ）、ステップＳ５０２に戻り、一連の処理を繰り返す。また、ステップＳ５０３において、識別情報が検出されなかった場合（ステップＳ５０３：Ｙｅｓ）、出力部３０３により、遊技機Ｍの異常を示す異常情報を出力する（ステップＳ５０５）。
【００７１】
以上説明した、この発明の実施の形態１にかかる遊技媒体貸出装置１００によれば、非接触ＩＣタグ３１０からの識別情報を検出して、その識別情報の正当性を判断することにより、遊技機Ｍに対する不正行為を監視することができる。具体的には、検出された識別情報が不当であった場合、あるいは、識別情報の検出が不能となった場合に、遊技機Ｍに対して何らかの不正行為がおこなわれた恐れがあると判断して、遊技機Ｍの異常を示す異常情報をディスプレイ１０２に表示することができる。
【００７２】
また、異常情報に含まれる時期情報から、遊技機Ｍに対して不正行為がおこなわれた恐れがある日時を特定することができる。これにより、不正行為が営業中におこなわれたのか、あるいは、営業終了後におこなわれたのかを判断することができ、不正行為をおこなった人物の特定などに役立てることができる。
【００７３】
このように、遊技機Ｍに対して何らかの不正行為がおこなわれた恐れがあることを自動的に判断して、その遊技機Ｍの異常を報知することにより、不正行為の迅速な発見を実現することができる。さらに、不正行為がおこなわれたか否かの目視チェックをおこなう際に、遊技機Ｍのフロントドアを開放して各種部品に貼付された封印紙を確認するなどの面倒な作業が不要となるため、従業員の作業負担を軽減させることができる。
【００７４】
また、遊技者の遊技を中断させて不正行為がおこなわれたか否かの確認をおこなう必要がないため、遊技者に不快感を与えることがなく、さらには、不正行為が発生したその時点で異常情報の報知がおこなわれるため、不正な遊技者による不当な遊技媒体の獲得を未然に防ぐことができ、不正行為による被害の拡大を抑えることができる。
【００７５】
また、遊技機Ｍの異常を検知する機能を、遊技媒体の貸し出しに関する信号を遊技機Ｍに送信する遊技媒体貸出装置１００に持たせる構成となっているため、不正行為を監視するための装置を新設する必要がなく、不正監視にかかる設備投資を抑えることができるとともに、遊技場内における省スペース化を図ることができる。
【００７６】
具体的には、たとえば、遊技場内に既設されている遊技媒体の貸し出しをおこなう装置に非接触ＩＣタグ３１０からの識別情報を受信するアンテナ１０７を設け、さらに、上述した異常情報検知処理を実行する異常情報検知プログラムをメモリに記録することにより、遊技媒体貸出装置１００の機能を実現することができる。
【００７７】
（実施の形態２）
（不正監視システム６００のシステム構成）
つぎに、この発明の実施の形態２にかかる不正監視システム６００のシステム構成について説明する。実施の形態２では、遊技場（たとえば、パチンコホール）の売上情報を管理するコンピュータ装置を利用して、遊技場内に設置されている遊技機Ｍに対する不正行為を監視する。
【００７８】
図６は、この発明の実施の形態２にかかる不正監視システム６００のシステム構成図である。図６において、不正監視システム６００は、遊技場Ａ内に設置されている複数の遊技機Ｍ−１〜Ｍ−ｎと、複数の遊技媒体貸出装置６１０−１〜６１０−ｎと、監視装置６２０と、監視サーバ６３０とがインターネット、ＬＡＮおよびＷＡＮなどのネットワークを介して接続されている。
【００７９】
遊技機Ｍ−１〜Ｍ−ｎは、遊技場Ａ内に設置されているパチンコ遊技機やスロット遊技機などの電子機器である。遊技媒体貸出装置６１０−１〜６１０−ｎは、それぞれ隣接する遊技機Ｍ−１〜Ｍ−ｎと接続されており、遊技機Ｍ−１〜Ｍ−ｎでの遊技に使用する遊技球や遊技メダルなどの遊技媒体を貸し出すコンピュータ装置である。具体的には、たとえば、遊技機Ｍ−１と遊技媒体貸出装置６１０−１とが直接接続されており、遊技機Ｍ−１での遊技機に使用する遊技媒体の貸し出しに関する信号を遊技媒体貸出装置６１０−１から遊技機Ｍ−１に送信している。
【００８０】
監視装置６２０は、設定情報管理ＤＢ（データベース）６２１を備え、遊技場Ａ内に設置されている遊技機Ｍ−１〜Ｍ−ｎに対する不正行為を監視するとともに、遊技機Ｍ−１〜Ｍ−ｎの売上情報を管理するコンピュータ装置である。この監視装置６２０は、たとえば、遊技場Ａの管理室などに設置される。遊技場Ａの管理者は、監視装置６２０に送信されてくる異常情報をもとに遊技機Ｍ−１〜Ｍ−ｎの不正を監視する。
【００８１】
監視サーバ６３０は、複数の遊技場（図６では、遊技場Ａ）に関する不正を監視するとともに、それら遊技場の売上情報を管理するコンピュータ装置である。この監視サーバ６３０は、たとえば、遊技場Ａの会計などを監督し、その適法性、妥当性などを判断する第三者機関に設置される。第三者機関のユーザは、監視サーバ６３０に送信されてくる異常情報をもとに遊技場Ａに関する不正を監視する。
【００８２】
なお、遊技媒体貸出装置６１０−１〜６１０−ｎ、監視装置６２０および監視サーバ６３０のハードウェア構成は、実施の形態１で説明した遊技媒体貸出装置１００のハードウェア構成（図２参照）と同様のため、図示および説明を省略する。
【００８３】
（設定情報管理ＤＢ６２１の記憶内容）
つぎに、図６に示した設定情報管理ＤＢ６２１について説明する。図７は、設定情報管理ＤＢ６２１の記憶内容を示す説明図である。図７において、設定情報管理ＤＢ６２１は、遊技場Ａに設置されている遊技機Ｍ−１〜Ｍ−ｎごとに、遊技台番号および遊技機ＩＤを含む設定情報７００−１〜７００−ｎを保持している。
【００８４】
遊技台番号は、各遊技機Ｍ−１〜Ｍ−ｎを区別するための情報であり、たとえば、遊技場Ａ内での各遊技機Ｍ−１〜Ｍ−ｎの位置を特定するための情報である。遊技機ＩＤは、監視サーバ６３０から割り当てられる各遊技機Ｍ−１〜Ｍ−ｎを識別するための情報であり、各遊技機Ｍ−１〜Ｍ−ｎ固有の情報である。
【００８５】
ここで、遊技機Ｍ−２を例に挙げると、設定情報７００−２は、遊技台番号「Ａ００２」および遊技機ＩＤ「１２３００２」を有している。すなわち、遊技場Ａ内での遊技機Ｍ−２の位置を特定するための情報が「Ａ００２」で、遊技機Ｍ−２を識別するための情報が「１２３００２」である。
【００８６】
（不正監視システム６００の機能的構成）
つぎに、この発明の実施の形態２にかかる不正監視システム６００の機能的構成について説明する。図８は、この発明の実施の形態２にかかる不正監視システム６００の機能的構成を示すブロック図である。
【００８７】
図８において、不正監視システム６００は、遊技機Ｍと、遊技媒体貸出装置６１０と、監視装置６２０と、監視サーバ６３０と、から構成されている。以下、不正監視システム６００によって、遊技場Ａ内に設置されている遊技機Ｍ−１〜Ｍ−ｎの不正を監視する場合を例に挙げて説明する。なお、実施の形態１において説明した箇所と重複する箇所については、同一符号を付して詳細な説明を省略する。
【００８８】
まず、遊技媒体貸出装置６１０（図６に示した遊技媒体貸出装置６１０−１〜６１０−ｎ）の機能的構成について説明する。遊技媒体貸出装置６１０は、アンテナ１０７と、非接触ＩＣタグ３１０と、検出部３０１と、判断部３０２と、受信部８１１と、送信部８１２と、から構成されている。
【００８９】
検出部３０１は、遊技機Ｍ（図６に示した遊技機Ｍ−１〜Ｍ−ｎ）に設けられた非接触ＩＣタグ３１０の所定範囲内に配設されたアンテナ１０７を用いて、非接触ＩＣタグ３１０から遊技機固有の識別情報を検出する機能を有する。
【００９０】
受信部８１１は、遊技機Ｍに割り当てられた設定情報を監視装置６２０から受信する機能を有する。この設定情報は、遊技機Ｍに設けられた非接触ＩＣタグ３１０に記録されている識別情報と関連付けて、遊技機Ｍに割り当てられた情報であり、ＲＯＭ２０２やＲＡＭ２０３などのメモリに保持される。
【００９１】
具体的には、たとえば、遊技機Ｍ−１と直接接続されている遊技媒体貸出装置６１０−１には、設定情報７００−１（図７参照）が監視装置６２０から送信され、遊技機Ｍ−２と直接接続されている遊技媒体貸出装置６１０−２には、設定情報７００−２（図７参照）が監視装置６２０から送信されることとなる。
【００９２】
判断部３０２は、検出部３０１によって検出された識別情報、および受信部８１１によって受信された設定情報に基づいて、識別情報の正当性を判断する機能を有する。具体的には、判断部３０２は、メモリから設定情報を読み出して、その設定情報と識別情報との同一性を照合することにより、その識別情報の正当性を判断する。
【００９３】
より具体的には、たとえば、遊技場Ａ内に設置されている遊技機Ｍ−２を例に挙げると、識別情報に含まれている遊技機ＩＤが設定情報７００−２に含まれている遊技機ＩＤ「１２３００２」と一致した場合には、その識別情報が正当であると判断する。一方、識別情報に含まれている遊技機ＩＤが、たとえば、「１２３００９」であり、設定情報７００−２に含まれている遊技機ＩＤ「１２３００２」と一致しなかった場合には、その識別情報が不当であると判断する。
【００９４】
送信部８１２は、判断部３０２によって識別情報が不当であると判断された場合、遊技機Ｍの異常を示す異常情報を監視装置６２０に送信する機能を有する。異常情報は、たとえば、遊技機Ｍを特定するための遊技台番号（または／および遊技機ＩＤ）と、遊技機Ｍに対して何らかの不正行為がおこなわれた恐れがあることを示す情報とを含む情報である。
【００９５】
つぎに、監視装置６２０の機能的構成について説明する。監視装置６２０は、設定情報管理ＤＢ６２１と、受信部８２１と、送信部８２２と、出力部８２３と、表示部８２４と、通知部８２５と、から構成されている。受信部８２１は、監視サーバ６３０から遊技場Ａ内に設置されている各遊技機Ｍ固有の設定情報を受信する機能を有する。具体的には、受信部８２１は、遊技場Ａ内に設置されている各遊技機Ｍ−１〜Ｍ−ｎに割り当てられた設定情報７００−１〜７００−ｎを監視サーバ６３０から受信し、それら設定情報７００−１〜７００−ｎを設定情報管理ＤＢ６２１に保持する。
【００９６】
送信部８２２は、受信部８２１によって受信された設定情報を遊技機Ｍに送信する機能を有する。具体的には、送信部８２２は、設定情報７００−１〜７００−ｎを設定情報管理ＤＢ６２１から読み出して、各設定情報７００−１〜７００−ｎをそれぞれ対応する遊技機Ｍ−１〜Ｍ−ｎと接続されている各遊技媒体貸出装置６１０−１〜６１０−ｎに送信する。
【００９７】
より具体的には、たとえば、送信部８２２は、各設定情報７００−１〜７００−ｎと関連付けられている、各遊技媒体貸出装置６１０−１〜６１０−ｎのアドレス情報を参照することにより、各設定情報７００−１〜７００−ｎをそれぞれ対応する遊技媒体貸出装置６１０−１〜６１０−ｎに送信することとしてもよい。
【００９８】
このように、監視装置６２０によって設定情報７００−１〜７００−ｎを一括して各遊技媒体貸出装置６１０−１〜６１０−ｎに送信することにより、各遊技媒体貸出装置６１０−１〜６１０−ｎへの設定情報７００−１〜７００−ｎの設定にかかる作業負担を軽減させることができる。さらに、第三者機関（監視サーバ６３０）から提供される設定情報７００−１〜７００−ｎを用いることにより、遊技場Ａの管理者や従業員などによる不正行為を防ぐことができる。
【００９９】
また、受信部８２１は、遊技媒体貸出装置６１０から異常情報を受信する機能を有する。出力部８２３は、受信部８２１によって受信された異常情報を出力する機能を有する。具体的には、たとえば、出力部８２３は、表示画面（図２に示したディスプレイ２１２）を有する表示部８２４を制御して、遊技機Ｍの異常を示す異常情報を表示する。
【０１００】
なお、出力部８２３による出力形式は、ディスプレイ２１２での画面表示の他に、外部のプリンタでの印刷出力、メモリへのデータ出力（保存）、外部のコンピュータ装置への送信のいずれであってもよい。ここで、ディスプレイ２１２に表示される表示画面について説明する。
【０１０１】
図９は、ディスプレイに表示される出力画面の一例を示す説明図（その２）である。図９において、ディスプレイ２１２には、遊技場Ａに設置されている遊技機Ｍ−１〜Ｍ−ｎに関する遊技機情報一覧９００が表示されている。具体的には、遊技機情報一覧９００には、各遊技機Ｍ−１〜Ｍ−ｎの遊技台番号および遊技機ＩＤと関連付けて、各遊技機Ｍ−１〜Ｍ−ｎの異常に関する遊技機情報９００−１〜９００−ｎが表示されている。
【０１０２】
たとえば、遊技機Ｍ−１について、遊技台番号「Ａ００１」および遊技機ＩＤ「１２３００１」と関連付けて、不正行為がおこなわれた恐れがないことを示す遊技機情報９１０−１が表示されている。また、遊技機Ｍ−２について、遊技台番号「Ａ００２」および遊技機ＩＤ「１２３００２」と関連付けて、不正行為がおこなわれた恐れがあることを示すメッセージおよびその不正行為がおこなわれた恐れがある発生日時（２００７年４月１２日１６時０３分）を示す遊技機情報９１０−２（異常情報に相当）が表示されている。
【０１０３】
なお、遊技機情報一覧９００は、遊技媒体貸出装置６１０から送信される遊技機Ｍ−１〜Ｍ−ｎの異常情報に応じて、その都度内容が更新されることとなる。たとえば、遊技機Ｍ−１の異常を示す異常情報を遊技媒体貸出装置６１０−１から受信すると、遊技機情報９１０−１の内容が更新され、不正行為がおこなわれた恐れがあることを示すメッセージおよびその不正行為がおこなわれた恐れがある発生日時が表示されることとなる。
【０１０４】
これにより、遊技場Ａの管理者は、遊技機Ｍ−２に対して何らかの不正行為がおこなわれた恐れがあることを認識することができる。このように、各遊技機Ｍ−１〜Ｍ−ｎに対して何らかの不正行為がおこなわれた恐れがある場合、直ちに遊技場Ａの管理者にその旨を示す異常情報を報知することにより、迅速な不正行為の発見を実現することができる。
【０１０５】
通知部８２５は、受信部８２１によって受信された異常情報を監視サーバ６３０に通知する機能を有する。具体的には、たとえば、通知部８２５は、識別情報が不当であると判断された遊技機Ｍを特定するための情報、およびその遊技機Ｍが設置されている遊技場Ａを特定するための情報を含む異常情報を監視サーバ６３０に通知する。
【０１０６】
遊技機Ｍを特定するための情報、およびその遊技機Ｍが設置されている遊技場Ａを特定するための情報とは、たとえば、遊技機ＩＤおよび遊技場ＩＤであり、受信部８２１によって受信された異常情報に予め含まれていてもよく、監視装置６２０の磁気ディスクや光ディスクなどの記録媒体（不図示）から読み出して、受信された異常情報に付加することとしてもよい。
【０１０７】
監視サーバ６３０は、監視装置６２０からの異常情報を受信して、その異常情報を出力する機能を有している。これにより、第三者機関のユーザは、遊技場Ａに設置されている遊技機Ｍ−２に対して何らかの不正行為がおこなわれた恐れがあることを認識することができる。このように、第三者機関のユーザが遊技場Ａに関する不正を監視することにより、遊技場Ａの管理者などによる不正行為の迅速な発見を実現することができる。
【０１０８】
（不正監視システム６００の監視処理手順）
つぎに、この発明の実施の形態２にかかる不正監視システム６００の監視処理手順について説明する。図１０は、この発明の実施の形態２にかかる不正監視システム６００の監視処理手順を示すシーケンス図である。図１０において、まず、監視サーバ６３０により、遊技場Ａに設置されている各遊技機Ｍ−１〜Ｍ−ｎ固有の設定情報７００−１〜７００−ｎを監視装置６２０に送信する（ステップＳ１００１）。
【０１０９】
このあと、監視装置６２０の受信部８２１により、各遊技機Ｍ−１〜Ｍ−ｎ固有の設定情報７００−１〜７００−ｎを監視サーバ６３０から受信して（ステップＳ１００２）、それら設定情報７００−１〜７００−ｎを設定情報管理ＤＢ６２１に保持する。
【０１１０】
つぎに、送信部８２２により、各設定情報７００−１〜７００−ｎを設定情報管理ＤＢ６２１から読み出して、それら設定情報７００−１〜７００−ｎを対応する遊技媒体貸出装置６１０−１〜６１０−ｎに送信する（ステップＳ１００３）。
【０１１１】
このあと、遊技媒体貸出装置６１０（遊技媒体貸出装置６１０−１〜６１０−ｎ）の受信部８１１により、自装置と接続された遊技機Ｍに対応する設定情報７００−１〜７００−ｎを監視装置６２０から受信する（ステップＳ１００４）。
【０１１２】
つぎに、検出部３０１により、装置本体と接続された遊技機Ｍに設けられた非接触ＩＣタグ３１０の所定範囲内に配設されたアンテナ１０７を用いて、非接触ＩＣタグ３１０から遊技機Ｍ固有の識別情報を検出する（ステップＳ１００５）。
【０１１３】
つぎに、判断部３０２により、検出部３０１による識別情報の検出が不能となったか否かを判断する（ステップＳ１００６）。ここで、識別情報が検出された場合（ステップＳ１００６：Ｎｏ）、判断部３０２により、検出部３０１によって検出された識別情報、およびステップＳ１００４において受信された設定情報７００−１〜７００−ｎに基づいて、識別情報が正当であるか否かを判断する（ステップＳ１００７）。
【０１１４】
このとき、識別情報が不当であると判断された場合（ステップＳ１００７：Ｎｏ）、送信部８１２により、遊技機Ｍの異常を示す異常情報を監視装置６２０に送信して（ステップＳ１００８）する。また、ステップＳ１００７において、識別情報が正当であると判断された場合（ステップＳ１００７：Ｙｅｓ）、ステップＳ１００５に戻り、一連の処理を繰り返す。
【０１１５】
また、ステップＳ１００６において、識別情報が検出されなかった場合（ステップＳ１００６：Ｙｅｓ）、送信部８１２により、遊技機Ｍの異常を示す異常情報を監視装置６２０に送信する（ステップＳ１００８）。このあと、監視装置６２０の受信部８２１により、遊技機Ｍの異常を示す異常情報を遊技媒体貸出装置６１０から受信して（ステップＳ１００９）、出力部８２３により、その異常情報を出力する（ステップＳ１０１０）。
【０１１６】
そして、通知部８２５により、ステップＳ１００９において受信された異常情報を監視サーバ６３０に通知する（ステップＳ１０１１）。このあと、監視サーバ６３０により、遊技機Ｍの異常を示す異常情報を監視装置６２０から受信し（ステップＳ１０１２）、最後に、その異常情報を出力する（ステップＳ１０１３）。
【０１１７】
以上説明した、この発明の実施の形態２にかかる不正監視システム６００によれば、遊技場Ａに設置されている遊技機Ｍに対して何らかの不正行為がおこなわれた恐れがある場合に、直ちにその遊技機Ｍの異常を示す異常情報を遊技場Ａの管理者に報知することができる。
【０１１８】
また、遊技場Ａに設置されている複数の遊技機Ｍ−１〜Ｍ−ｎの不正を監視装置６２０によって一括して監視することができる。これにより、遊技場Ａの従業員などによる目視チェックにかかる作業負担を軽減することができるとともに、不正行為のチェック漏れを低減させることができる。
【０１１９】
また、遊技場Ａの売上情報を管理するコンピュータ装置を利用して、遊技場Ａ内に設置されている遊技機Ｍ−１〜Ｍ−ｎに対する不正行為を監視することができるため、不正行為を監視するコンピュータ装置を新設する必要がなく、不正監視にかかる設備投資を抑えることができる。
【０１２０】
さらに、遊技場の会計を監督している第三者機関に、異常情報を報知することができる。これにより、第三者機関のユーザは、たとえば、遊技場Ａ内に設置されている遊技機Ｍに対して何らかの不正行為がおこなわれたことを認識することができる。このように、信頼できる第三者機関に、遊技場Ａに関する不正を監視させることにより、遊技場Ａの管理者や従業員などによる不正行為を考慮した包括的な不正監視システムを実現することができる。
【０１２１】
以上説明したように、この発明にかかる異常検知装置、異常検知方法、異常検知プログラム、および不正監視システムによれば、不正行為の発生を認識して、直ちにその旨を報知することにより、不正行為の早期発見を実現し、不正による被害の拡大防止および不正行為の抑制を図ることができる。
【０１２２】
なお、本実施の形態で説明した異常検知方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１２３】
以上のように、本発明にかかる異常検知装置、異常検知方法、異常検知プログラム、および不正監視システムは、パチンコ遊技機、スロット遊技機、その他各種遊技機の不正対策に有用であり、特に、パチンコホールやゲームセンター（プレイランド）、家庭用ゲーム機での設置、使用に適している。
【図面の簡単な説明】
【０１２４】
【図１】遊技媒体貸出装置の一例を示す外観図である。
【図２】遊技媒体貸出装置のハードウェア構成を示すブロック図である。
【図３】この発明の実施の形態１にかかる遊技媒体貸出装置の機能的構成を示すブロック図である。
【図４】ディスプレイに表示される表示画面の一例を示す説明図（その１）である。
【図５】この発明の実施の形態１にかかる遊技媒体貸出装置の異常検知処理手順を示すシーケンス図である。
【図６】この発明の実施の形態２にかかる不正監視システムのシステム構成図である。
【図７】設定情報管理ＤＢの記憶内容を示す説明図である。
【図８】この発明の実施の形態２にかかる不正監視システムの機能的構成を示すブロック図である。
【図９】ディスプレイに表示される表示画面の一例を示す説明図（その２）である。
【図１０】この発明の実施の形態２にかかる不正監視システムの監視処理手順を示すシーケンス図である。
【符号の説明】
【０１２５】
１００  遊技媒体貸出装置
１０１  紙幣投入口
１０２  ディスプレイ
１０３  操作ボタン
１０４  会員カード投入口
１０５  精算コイン投入口
１０６  精算コイン返却口
１０７  アンテナ
３０１  検出部
３０２  判断部
３０３，８２３  出力部
３０４，８２４  表示部
３１０  非接触ＩＣタグ
Ｍ，Ｍ−１〜Ｍ−ｎ  遊技機
６１０，６１０−１〜６１０−ｎ  遊技媒体貸出装置
６２０  監視装置
６３０  監視サーバ
８１１，８２１  受信部
８１２，８２２  送信部
８２５  通知部
【図１】
2008289726.tif 000003
【図２】
2008289726.tif 000004
【図３】
2008289726.tif 000005
【図４】
2008289726.tif 000006
【図５】
2008289726.tif 000007
【図６】
2008289726.tif 000008
【図７】
2008289726.tif 000009
【図８】
2008289726.tif 000010
【図９】
2008289726.tif 000011
【図１０】
2008289726.tif 000012